(57)【要約】【課題】電解質基材に混入した金属粉異物を色により識別して高い信頼性で検出できる検査装置等を提供すること。【解決手段】検査装置は、電解質基材が所定形状で積層されて所定幅寸法で切断された長尺のアルミ箔をロール状に巻き取ったシートの電解質基材に混入した金属粉異物を加熱する電磁誘導加熱器と、電磁誘導加熱器の働きで昇温されて変色した金属粉異物を撮像する画像認識用カメラとを備える。【選択図】図１
2011185754.tif 000002
【特許請求の範囲】
【請求項１】
電解質基材が所定形状で積層されて所定幅寸法で切断された長尺のアルミ箔をロール状に巻き取ったシートを保持する供給部と、
前記シートを所定の速度で走行させる送りローラと、
前記供給部と前記送りローラとの間でかつ前記シートの上方に設けられて前記電解質基材に混入した金属粉異物を加熱する電磁誘導加熱器と、
前記電磁誘導加熱器の送り方向側に設けられて前記電磁誘導加熱器の働きで昇温されて変色した前記金属粉異物を撮像する画像認識用カメラと、
前記送りローラの送り方向側に設けられてシートをロール状に巻き取る巻取り部とを備えることを特徴とする検査装置。
【請求項２】
前記画像認識用カメラの周囲に照明機能を付加したことを特徴とする請求項１記載の検査装置。
【請求項３】
前記電磁誘導加熱器の働きで昇温されて変色した前記金属粉異物を前記画像認識用カメラで撮像して検出した場合は、自装置の運転の条件を変更することを特徴とする請求項１または２記載の検査装置。
【請求項４】
供給部が、電解質基材が所定形状で積層されて所定幅寸法で切断された長尺のアルミ箔をロール状に巻き取ったシートを保持するステップと、
送りローラが、前記シートを所定の速度で走行させ、巻取り部が前記送りローラの送り方向側に設けられてシートをロール状に巻き取るステップと、
電磁誘導加熱器が、前記供給部と前記送りローラとの間でかつ前記シートの上方に設けられて前記電解質基材に混入した金属粉異物を加熱するステップと、
前記電磁誘導加熱器の送り方向側に設けられた画像認識用カメラが、前記電磁誘導加熱器の働きで昇温されて変色した前記金属粉異物を撮像するステップと
を有することを特徴とする検査方法。
【請求項５】
前記画像認識用カメラの周囲に照明機能を付加したことを特徴とする請求項４記載の検査方法。
【請求項６】
前記電磁誘導加熱器の働きで昇温されて変色した前記金属粉異物を前記画像認識用カメラで撮像して検出した場合は、自装置の運転の条件を変更するステップをさらに有することを特徴とする請求項４または５記載の検査方法。
【発明の詳細な説明】
【技術分野】
【０００１】
本発明は、金属粉異物のみを加熱して検出する検査技術に関する。
【背景技術】
【０００２】
これまでの検出装置では、電解質基材に混在する微小な金属粉異物の検出の信頼性が低くて検出漏れが発生し、課題となっていた。
【０００３】
そのため、特許文献１に記載されているように、アルミ箔に積層した電解質基材に混入した金属粉異物を検出するために、ＣＣＤカメラを用いた画像認識処理を行う手法があった。
【０００４】
関連技術として、被検査体に金属異物が混在するときは、コイルによって発生する磁束により金属異物に渦電流が誘起し、ジュール熱を発生する。赤外線カメラは、被検査体から放射される赤外線を電気信号に変換する。赤外線カメラの撮影信号は、撮影制御回路を経てモニタ、異物検出回路へ送られる。異物検出回路は、金属異物が混在していないときの撮影信号と比較して金属異物有無を判別し、金属異物が混在するときは、異物検出信号を発生する技術がある（例えば、特許文献２参照）。
【先行技術文献】
【特許文献】
【０００５】
【特許文献１】特開２００９−２３６５７８号公報
【特許文献２】特開２００５−８３８８９号公報
【発明の概要】
【発明が解決しようとする課題】
【０００６】
しかしながら、特許文献１に記載の検査装置では、混入した金属粉異物が微小で、かつ電解質基材の色と類似している場合には、金属粉異物と電解質基材との差異をＣＣＤカメラで撮像することが難しくなり、検出漏れを生じさせて検査の信頼性を低くする問題点を抱えている。また、特許文献２に記載の技術は高温になる熱を利用することによる検出方法である。
【０００７】
本発明の目的は、上述した従来技術の問題点を解決する、電解質基材に混入した金属粉異物を色により識別して高い信頼性で検出できる検査装置および検査方法を提供することにある。
【課題を解決するための手段】
【０００８】
本発明の検査装置は、電解質基材が所定形状で積層されて所定幅寸法で切断された長尺のアルミ箔をロール状に巻き取ったシートを保持する供給部と、
前記シートを所定の速度で走行させる送りローラと、
前記供給部と前記送りローラとの間でかつ前記シートの上方に設けられて前記電解質基材に混入した金属粉異物を加熱する電磁誘導加熱器と、
前記電磁誘導加熱器の送り方向側に設けられて前記電磁誘導加熱器の働きで昇温されて変色した前記金属粉異物を撮像する画像認識用カメラと、
前記送りローラの送り方向側に設けられてシートをロール状に巻き取る巻取り部とを備えることを特徴とする。
【０００９】
また、本発明の検査方法は、供給部が、電解質基材が所定形状で積層されて所定幅寸法で切断された長尺のアルミ箔をロール状に巻き取ったシートを保持するステップと、
送りローラが、前記シートを所定の速度で走行させ、巻取り部が前記送りローラの送り方向側に設けられてシートをロール状に巻き取るステップと、
電磁誘導加熱器が、前記供給部と前記送りローラとの間でかつ前記シートの上方に設けられて前記電解質基材に混入した金属粉異物を加熱するステップと、
前記電磁誘導加熱器の送り方向側に設けられた画像認識用カメラが、前記電磁誘導加熱器の働きで昇温されて変色した前記金属粉異物を撮像するステップと
を有することを特徴とする。
【発明の効果】
【００１０】
本発明によれば、電解質基材に混入した金属粉異物を色により識別して高い信頼性で検出できる。
【図面の簡単な説明】
【００１１】
【図１】本発明の実施の形態に係る検査装置の構成を示す図である。
【図２】本発明の実施の形態に係る動作を示すフローチャートである。
【発明を実施するための形態】
【００１２】
以下、本発明の検査装置を実施するための最良の形態について図面を参照して詳細に説明する。
【００１３】
図１を参照すると、本実施の形態における検査装置は、電解質基材１が所定形状で積層されて所定幅寸法で切断された長尺のアルミ箔２をロール状に巻き取ったシート５を保持する供給部７と、シート５を所定の速度で走行させる送りローラ９と、上記の供給部７と送りローラ９との間でかつシート５の上方に設けられた電磁誘導加熱器１１と、前記電磁誘導加熱器１１の送り方向側に設けられた画像認識用カメラ１２と、前記送りローラ９の送り方向側に設けられてシート５をロール状に巻き取る巻取り部１３とで構成されている。
【００１４】
さらに詳細に説明すると、上記の送りローラ９は、図示していない回転制御できる回転駆動源と連結されて精度良く回転され、所定圧力で圧接しているローラ１０との間でシート５をはさみ込み、シート５を巻取り部１３の方向に所定速度で高精度に走行させる。
【００１５】
また、電磁誘導加熱器１１は、電解質基材１に混入した金属物異物３を電磁誘導加熱作用により、シート５の走行速度と相関して加熱して変色させる機能を有する。
【００１６】
上記の画像認識用カメラ１２は、上記の電磁誘導加熱器１１の働きで昇温して変色した金属粉異物３を撮像する機能を有し、図示していない画像処理部と電気接続し、撮像した画像から変色した金属粉異物３の有無やその分布状態を検出することができる。また、金属粉異物３を撮像する精度を高めるために、画像認識用カメラ１２の周囲に照明機能を付加したり、撮像個所の暗室化を図っても良い。
【００１７】
次に、図１および図２のフローチャートを参照して本実施の形態の動作について説明する。
【００１８】
予め、ロール状に巻き取られたシート５は供給部７に取付けられ、シート５の開放端は所定の経路を経由して巻取り部１３に固定される（Ｓ２０１）。
【００１９】
運転を開始すると、送りローラ９が作動してシート５を送り方向Ａの方向に所定速度で送り始め、巻取り部１３は送りローラ９と連動して、送りこまれてきたシート５を巻き取る（Ｓ２０２）。
【００２０】
電解質基材１が積層されたシート５は、電磁誘導加熱器１１、画像認識用カメラ１２の下方を順次通過して、巻取り部１３で巻き取られる。
このとき、電解質基材１の中に金属粉異物３が混入していた場合は、金属粉異物３は電磁誘導加熱器１１で発生する電磁誘導加熱の作用で加熱されて変色する（Ｓ２０３）。
【００２１】
次いで、変色した金属粉異物３は画像認識用カメラ１２で撮像され検出される（Ｓ２０４）。このように、金属粉異物３が変色しているため、常温状態では画像認識用カメラ１２で撮像が困難な微小で、かつ電解質基材の色と類似している金属粉異物３も撮像可能となり、検査精度が高められる。
【００２２】
金属粉異物３を画像認識用カメラ１２で検出した場合は、図示していない画像処理部の所定の設定アルゴリズムに従い、運転の条件を変更する（Ｓ２０５）。例えば、検出された金属粉異物３の個数やその分布状態が設定値を超えた場合には、装置の起動を停止させ、不良品の発生箇所を調査する。あるいは、検査データを記憶媒体に保管して、不良品解析などの品質管理に用いる場合もある。
【００２３】
なお、本実施の形態では検査工程のみを記載しているが、本発明は検査工程単独での適用に限定されるものでなく、電解質基材を積層塗布する製造工程の途中に組みこんでも良い。
【００２４】
上記の本実施の形態によれば、金属粉異物３が検出しやすいように電磁誘導加熱器１１を設けているため、シート５の電解質基材１に混入した金属粉異物３を加熱して変色できるので、画像認識用カメラ１２による検出精度を向上させることができる。
【００２５】
なお、上述する各実施の形態は、本発明の好適な実施の形態であり、本発明の要旨を逸脱しない範囲内において種々変更実施が可能である。本発明は、シート上に塗布された電解質基材に混在する金属粉異物を検出する検出装置に広く適用可能である。
【００２６】
上記の実施の形態の一部または全部は、以下の付記のようにも記載されうるが、以下には限られない。
【００２７】
（付記１）電解質基材が所定形状で積層されて所定幅寸法で切断された長尺のアルミ箔をロール状に巻き取ったシートを保持する供給部と、
前記シートを所定の速度で走行させる送りローラと、
前記供給部と前記送りローラとの間でかつ前記シートの上方に設けられて前記電解質基材に混入した金属粉異物を加熱する電磁誘導加熱器と、
前記電磁誘導加熱器の送り方向側に設けられて前記電磁誘導加熱器の働きで昇温されて変色した前記金属粉異物を撮像する画像認識用カメラと、
前記送りローラの送り方向側に設けられてシートをロール状に巻き取る巻取り部とを備えることを特徴とする検査装置。
【００２８】
（付記２）前記画像認識用カメラの周囲に照明機能を付加したことを特徴とする付記１記載の検査装置。
【００２９】
（付記３）前記電磁誘導加熱器の働きで昇温されて変色した前記金属粉異物を前記画像認識用カメラで撮像して検出した場合は、自装置の運転の条件を変更することを特徴とする付記１または２記載の検査装置。
【００３０】
（付記４）供給部が、電解質基材が所定形状で積層されて所定幅寸法で切断された長尺のアルミ箔をロール状に巻き取ったシートを保持するステップと、
送りローラが、前記シートを所定の速度で走行させ、巻取り部が前記送りローラの送り方向側に設けられてシートをロール状に巻き取るステップと、
電磁誘導加熱器が、前記供給部と前記送りローラとの間でかつ前記シートの上方に設けられて前記電解質基材に混入した金属粉異物を加熱するステップと、
前記電磁誘導加熱器の送り方向側に設けられた画像認識用カメラが、前記電磁誘導加熱器の働きで昇温されて変色した前記金属粉異物を撮像するステップと
を有することを特徴とする検査方法。
【００３１】
（付記５）前記画像認識用カメラの周囲に照明機能を付加したことを特徴とする付記４記載の検査方法。
【００３２】
（付記６）前記電磁誘導加熱器の働きで昇温されて変色した前記金属粉異物を前記画像認識用カメラで撮像して検出した場合は、自装置の運転の条件を変更するステップをさらに有することを特徴とする付記４または５記載の検査方法。
【符号の説明】
【００３３】
１    電解質基材
２    アルミ箔
３    金属粉異物
４    変色した金属粉異物
５    シート
６    ロール状のシート
７    供給部
９    送りローラ
１１    電磁誘導加熱器
１２    画像認識用カメラ
１３    巻取り部
【図１】
2011185754.tif 000003
【図２】
2011185754.tif 000004